(57)【特許請求の範囲】
【請求項１】
以下の要件を備えたことを特徴とする形象玩具。
（イ）チェーン状のフレーム部材と、頭部材、脚部材および腕部材を表わした付属部材と、ブロックとから構成されていること
（ロ）上記フレーム部材に対し、上記付属部材が着脱可能に構成されていること
（ハ）上記フレーム部材は、複数のリンクを直列に連結して成り、リンクには、上記付属部材を着脱する取付部が形成されていること
（ニ）上記リンクは、２枚の平行リンク板の両端を連結軸で連結した外側リンクと、２つの外側リンクの連結軸に回動自在に連結された内側リンクとから構成されていること
（ホ）上記取付部は、上記外側リンクの平行リンク板の間に設けられていること
（ヘ）上記フレーム部材は一端の連結軸と他端の円弧状連結部とを係合させることにより連結可能に形成されていること
（ト）上記フレーム部材に対し、上記付属部材を取り付けることにより動物の形態が形成可能であること
【発明の詳細な説明】
【０００１】
【発明の属する技術分野】
本発明は、基本フレーム部材に複数の部品を着脱することにより形態を変化させることができる形象玩具に関する。
【０００２】
【従来技術とその問題点】
従来より、形態を変化させる形象玩具は多種多様のものが実施されてきた。その多くのものは、複数の部品が連結され、これらの部品を回動させたり、スライドさせたりすることにより部品相互の関係を変えることにより形態を変化させるものであった。そして、動物や自動車、飛行機等の形態からロボットに可逆的に変化するものが多い。
【０００３】
しかしながら、従来のほとんどの形象玩具は、このような部品移動方式による形態変化機構を採用してきたから、見た目にも遊び方にも目新しさがなくなってきている。
【０００４】
【発明が解決しようとする課題】
本発明は上記問題点を解消し、動物等の形態から他の形態に変化させるための変化の態様がユニークな形象玩具を提供することをその課題とする。
【０００５】
【課題を解決するための手段】
前記課題を解決するため、本発明に係る形象玩具は、以下の要件を備えたことを特徴とする。
（イ）チェーン状のフレーム部材と、頭部材、脚部材および腕部材を表わした付属部材と、ブロックとから構成されていること
（ロ）上記フレーム部材に対し、上記付属部材が着脱可能に構成されていること
（ハ）上記フレーム部材は、複数のリンクを直列に連結して成り、リンクには、上記付属部材を着脱する取付部が形成されていること
（ニ）上記リンクは、２枚の平行リンク板の両端を連結軸で連結した外側リンクと、２つの外側リンクの連結軸に回動自在に連結された内側リンクとから構成されていること
（ホ）上記取付部は、上記外側リンクの平行リンク板の間に設けられていること
（ヘ）上記フレーム部材は一端の連結軸と他端の円弧状連結部とを係合させることにより連結可能に形成されていること
（ト）上記フレーム部材に対し、上記付属部材を取り付けることにより動物の形態が形成可能であること
【０００６】
【発明の実施の形態】
図１は形象玩具の斜視図で、この形象玩具はフレーム部材１に対し、頭部材２ａ、前足部材２ｂ、後足部材２ｃ、背ビレ状部材２ｄ及び尾部材２ｅの付属部材２を取り付けることにより恐竜状の形態に形成されている。
【０００７】
フレーム部材１は、図２に示すように、複数のリンクを直列に連結してチェーン状にしたもので、リンクは、アルミニウム等の金属からなる外側リンクａと合成樹脂や合成ゴムから成る内側リンクｂとから構成されている。
【０００８】
外側リンクａは、２枚の平行リンク板７の両端部を連結軸８で連結したもので、両平行リンク板７の中央には開口部７ａが形成されている。なお、平行リンク板７の両端は半円形状に形成されている。
【０００９】
内側リンクｂは、上記平行な平行リンク板７の間の間隔と略同じ幅寸法を有する密実な部材で、図３（ａ）（ｂ）に示されるように、両端部には上記外側リンクａの連結軸８に回動自在に連結される嵌合穴９が形成されている。また、嵌合穴９の外周面は多角形状に形成されている。一方の端部の内側リンクｂの端部には半円よりやや大きい円弧状の連結部１０が形成されている。この連結部１０は上記嵌合穴９と同じ曲率に形成されている。なお、この連結部１０の内周面には断面が半円形状の凹溝１０ａが形成され、球体が嵌合保持されるように形成されている。
【００１０】
上記外側リンクａと内側リンクｂとは交互に連結されている。なお、外側リンクａと内側リンクｂとを交互に直列に連結したとき、側面から見たときに内側リンクｂはほとんど見えず、内側リンクｂを介して１つの外側リンクａの半円形端部に沿って隣りの外側リンクａの半円形端部が移動するように連結されている。
【００１１】
外側リンクａには、上記付属部材２を着脱する取付部１１が形成されている。取付部１１は、上記平行リンク板７の中央部に固定された立方体状の合成樹脂製連結ブロック１３によって構成されている。連結ブロック１３の上下と左右には連結穴１２が貫通形成されている。上下の連結穴１２は上記平行リンク板７の間から外部に露出し、左右の連結穴１２は上記平行リンク板７の開口部７ａから外部に露出している。
【００１２】
なお、上記取付部１１の外側リンクａの長手に沿う両端面には、上記内側リンクｂの端部の外周面が当接するように構成されている。上記外周面は多角形状に形成されているから、内側リンクを回動するときは、クリック感があるとともに、面同士が係合しているときは外側リンクａと内側リンクｂとの成す角度は安定に保持される。
【００１３】
上記連結ブロック１３は外面を球状とし、平行リンクの間で多少回転するように構成してもよい。
【００１４】
次に、図４に示す付属部材２ａ、２ｂ、２ｃ、２ｄ、２ｅは、合成樹脂材、木材、金属などから構成され、適宜の意匠が施されている。フレーム部材１に取り付けられる各部材には上記フレーム部材１の取付部１１の連結穴１２にきつ目に嵌合可能な連結用の軸部１４が形成されている。なお、頭部材２ａの軸部の先端には球状の膨突部１５が形成されている。尾部材２ｅは左右１対の部材６ａから構成されている。なお、上記各付属部材は適宜折り曲げ、屈伸、回動したり、付属部材自体が複数の部品を組み立て、分解できるように構成されていてもよい。
【００１５】
次に、上記フレーム部材１に対して付属部材２を取り付けることにより恐竜状の形態を作り上げるときは、図４に示すように、上記各付属部材２ａ、２ｂ、２ｃ、２ｄ、２ｅの軸部をフレーム部材１の所定の位置の連結穴１２に嵌合させればよい。
【００１６】
すなわち、頭部材２ａの軸部１４の先端はフレーム部材１の先端の連結部１０に嵌合保持させる。前足部材２ｂと後足部材２ｃと尾部材２ｅの軸部１４はフレーム部材１の前後の取付部１１の両側面に形成された連結穴１２に嵌合させる。同様に、背ビレ状部材２ｄの軸部はフレーム部材１の取付部１１の上部連結穴１２に嵌合させる。これにより、フレーム部材１を胴体として図１に示す恐竜状の形態にすることができる。
【００１７】
ところで、さらに別の形態に変化させるときは、フレーム部材１と付属部材２とを分離させる。そして、図５（ａ）に示すように、フレーム部材１の取付部１１に背ビレ状部材２ｄを取り付けた状態で別の六角ブロック１９の周面に形成された軸体１６を嵌合させるとともに、フレーム部材１の先端連結部１０と後端の連結軸８とを連結させて同図（ｂ）に示す胴体部を作る。次に、図６（ａ）に示すように、後足部材２ｃを折畳んで同図（ｂ）のように変形させ、付属部材２の連結軸体１７の側面の凸部１８に連結させて同図（ｃ）の部材を組み立てる。そして、図７に示すように、胴体部の六角ブロック１９の中央穴２０に上記部材の連結軸体１７を嵌合させる。さらに、図８、図９のように前足部材２ｂと尾部材２ｅとを取り付け、最後に図１０のように六角ブロック１９の裏側の筒体２１に頭部材２ａを嵌合することにより、図１１に示すような形態に変化させることができる。
【００１８】
次に、六角ブロック１９から各付属部材２を取り外し、図１２に示すように六角ブロック１９の上下の中心部に摘み２２と回転軸２３とを嵌合すれば、図１３のようにコマ本体２４の周縁部にフレーム部材１が取り付けられた状態となる。このコマはフレーム部材１の重量が重いので、回転が安定するとともに、周囲が多角形状になっているから、同じ構成の他のコマとぶつけあってベイゴマと同じようなゲームを楽しむことができる。
【００１９】
なお、付属部材２としていろいろなものが考えられる。例えば図１４に示されるように、フレーム部材１の一部を折り曲げて全体を短くした後に各付属部材３ａ、３ｂ、３ｃ、３ｄ、３ｅを上述と同じ要領で取り付けることにより、図１５に示されるように虎状の形態を得ることができる。
【００２０】
また、上述の例は取付部１１に連結穴１２、付属部材２には軸部１４を形成したものであるが、その逆に取付部には軸部、付属部材２には連結穴を形成する構成であってもよい。軸部と嵌合穴を設ける構成でもよい。
【００２１】
【発明の効果】
請求項１に係る発明によれば、チェーン状のフレーム部材と、頭部材、脚部材および腕部材を表わした付属部材と、ブロックとから構成されているから、いろいろな形態に変化させることができるとともに、チェーン状のフレーム部材１に対し、頭部、脚部、腕部等の付属部材を着脱させる構成であるから、従来の形態変化玩具と異なり、付属部材の位置を大きく移動させることができる。また、フレーム部材は、複数のリンク部材を直列に連結して成るものであるから、真直状にも円状にも多角形状にもすることができる。したがって、形態を劇的に変化させることができる。
【００２２】
また、フレーム部材が、２枚の平行リンク板の両端を連結軸で連結した外側リンクと、２つの外側リンクの連結軸に回動自在に連結された内側リンクとから構成されているから、直列に連結することができ、また取付部は、上記外側リンクの平行リンク板の間に設けられているから、全体がコンパクトですっきりとしたデザインのフレーム部材が得られる。
【００２３】
さらに、フレーム部材は先端部と後端部とが連結可能に形成されているとともに、先端部と後端部とが連結されたフレーム部材には、適宜意匠の付属部材を着脱することにより、動物等の形態から別形態に変形可能であるから、細長の形態から丸い形態まで多種多様な形態の変化を実現することができる。
【図面の簡単な説明】
【図１】  本発明に係る形象玩具の一例の斜視図
【図２】  フレーム部材の斜視図
【図３】  （ａ）（ｂ）はそれぞれフレーム部材の一部の平面図及び断面図
【図４】  形象玩具の分解斜視図
【図５】  （ａ）（ｂ）はそれぞれフレーム部材を六角ブロックに取り付けた時の取り付け前後の態様説明図
【図６】  （ａ）（ｂ）（ｃ）はそれぞれ後足部材の変形態様説明図
【図７】  組み立ての途中を示す斜視図
【図８】  前足部材を取り付ける状態の斜視図
【図９】  尾部材を取り付ける状態を示す斜視図
【図１０】  頭部材を取り付ける状態の奢侈図
【図１１】  形態変化が完成した状態の斜視図
【図１２】  コマの組み立て状態の斜視図
【図１３】  コマの遊び状態を示す斜視図
【図１４】  他の形象玩具の分解斜視図
【図１５】  上記形象玩具の組み立て完成図
【符号の説明】
１  フレーム部材
２  付属部材
１１  取付部材
ａ  外側リンク
ｂ  内側リンク
【図１】
0003652653.tif 000002
【図２】
0003652653.tif 000003
【図３】
0003652653.tif 000004
【図４】
0003652653.tif 000005
【図５】
0003652653.tif 000006
【図６】
0003652653.tif 000007
【図７】
0003652653.tif 000008
【図８】
0003652653.tif 000009
【図９】
0003652653.tif 000010
【図１０】
0003652653.tif 000011
【図１１】
0003652653.tif 000012
【図１２】
0003652653.tif 000013
【図１３】
0003652653.tif 000014
【図１４】
0003652653.tif 000015
【図１５】
0003652653.tif 000016